(57)【要約】【課題】細くて剛い（伸びが少ない）が衝撃力に弱い釣糸ａと衝撃力に強いが太くて柔かい釣糸ｂとを、結び目で応力を集中させることなく、また結び目を太くすることなく簡単に繋ぐことができ、初心者から熟練者まで対応できる釣糸結び器。【解決手段】同期回転する第１の糸保持回転体と第２の糸保持回転体に保持され、回転する太くて柔かい釣糸ｂに細くて剛い釣糸ａを多数回均一に巻付けて、応力を巻数で分散させて特性の異なる２本の釣糸を繋ぐ機器において、スイッチの操作により回転速度を調節できるようにした。【選択図】図１
2009178097.tif 000002
【特許請求の範囲】
【請求項１】
略コ字状の形状をした本体ケ−スと
前記本体ケ−スの両端に設置され、釣糸を保持して回転する第１の糸保持回転体と第２の糸保持回転体と
電池を電源とするモ−タ−と、
前記第１の糸保持回転体および前記第２の糸保持回転体とが同期回転する回転伝達部と、
電源を「切」状態と、複数の「入」状態にするスイッチ部とを備え、
前記スイッチ部の操作量により回転速度を調整できる構成の電動釣糸結び器。
【請求項２】
スイッチ部は、モ−タ−に接続された可変抵抗体と連動した請求項１に記載の電動釣糸結び器。
【請求項３】
スイッチ部は複数の接点を有し、各々の接点とそれに接続された各々の抵抗体を介して前記モ−タ−と電気的に接続された請求項１に記載の電動釣糸結び器。
【請求項４】
スイッチ部は、複数の押し接点とその押し接点を横方向から斜め押しできる複数の斜面とを有し、それぞれの押し接点と斜面の対は、並列に並べて配置され、前記スイッチ部の操作により順次電気的に接続される構成の請求項３に記載の電動釣糸結び器。
【請求項５】
回転伝達部は、変速機構を有し、スイッチ部と変速機構と連動した請求項１に記載の電動釣糸結び器。
【発明の詳細な説明】
【技術分野】
【０００１】
本発明は、特性の異なる２本の釣糸を繋ぐための機器に関するものである。
【背景技術】
【０００２】
釣りにおいて、特に擬似針を使用する釣りでは、細くて剛い（伸びが少ない）が衝撃力に弱い釣糸ａと衝撃力に強いが太くて柔かい釣糸ｂとのお互いの長所を組み合わせて使用しているが、釣糸は、滑りやすく結びにくいだけでなく、単に結び付けるだけでは、結び目に応力が集中して、結び目で切れやすい。
【０００３】
そのため、太くて柔かい釣糸ｂに細くて剛い釣糸ａを多数回巻付けることで、応力を巻数で分散して、お互いを絡ませて摩擦力で、特性の異なる２本の釣糸を繋いでいる。釣糸ｂに釣糸ａを多数回巻付ける作業を、手作業で行なうと、巻付けに手間取ったり、巻付けが不均一で結合力が弱くなったり、揺れる船上や足場の悪い釣場においての作業に手間取る等の不都合があった。
【０００４】
釣糸を結ぶ機器としては、同期回転する第１の糸保持回転体と第２の糸保持回転体に保持され、回転する太くて柔かい釣糸ｂに細くて剛い釣糸ａを多数回均一に巻付けて、応力を巻数で分散させて特性の異なる２本の釣糸を繋ぐものが示されている（例えば、特許文献１参照）。
【特許文献１】特開２００５−１６０４４４号公報
【発明の開示】
【発明が解決しようとする課題】
【０００５】
釣りは趣味であり、初心者から熟練者まで幅広い釣人がおり、幅広い層に対応できるものが必要である。初心者は慣れていないため、時間をかけてゆっくりと確実に巻付けないと失敗が多くなる。逆に熟練者はすばやく仕掛けを作ることにより、釣りそのものに専念したい。また、使用する釣糸も、魚種によりさまざまな種類と太さがあり、巻付け方も一様ではない。
【０００６】
しかし、従来の電動釣糸結び器においては回転速度は一定であり、初心者用の回転速度では熟練者にとっては時間がかかり過ぎ本来の釣りに専念できる時間が少なくなる。逆に熟練者用の回転速度では初心者にとっては慣れていないので失敗が多くなり、釣りに専念できる時間が少なくなる。さらに、仕掛けの破損は釣り場で発生するため、小型で携帯でき、片手でしかも指先で操作できるようなスイッチ操作の良いものが要望される。
【０００７】
本発明は、結び目を太くすることなく、特性の異なる２本の釣糸を多数回整列させて巻きつけて繋ぐ作業を、釣人の熟練度や釣糸の種類に応じて、簡単操作でかつ均一に巻付けができ、しかも携帯性にすぐれた電動釣糸結び器を提供することを目的とする。
【課題を解決するための手段】
【０００８】
上記課題を解決するため、本発明の電動釣糸結び器は、略コ字状の形状をした本体ケ−スと、前期本体ケ−スの両端に設置され、釣糸を保持して回転する第１の糸保持回転体と第２の糸保持回転体と、電池を電源とするモ−タ−と、前記第１の糸保持回転体および前記第２の糸保持回転体とが同期回転する回転伝達部と、電源を「切」状態と、複数の「入」状態にするスイッチ部とを備え、前記スイッチ部の操作量により回転速度を調整できるよう構成されている。
【発明の効果】
【０００９】
細くて剛い（伸びが少ない）が衝撃力に弱い釣糸ａと衝撃力に強いが太くて柔かい釣糸ｂという特性の異なる２本の釣糸を結ぶに際して、太くて柔かい釣糸ｂを真直ぐに張った状態で第１の糸保持回転体および第２の糸保持回転体にそれぞれ挟持し、さらに細くて剛い釣糸ａの一端を第１の糸保持回転体に保持し、釣糸ａの他端を手で持ちながらスイッチの操作を加減することにより、低速から徐々に高速にすることができ、釣人とって巻き易い最適な回転速度に調整できる。その状態で真直ぐに張った釣糸ｂに釣糸ａを簡単に整列巻きができる。さらに、整列巻きを多数巻いた後釣糸ａの移動を戻すことにより重ね巻きをすることで、より確実に絡め、その摩擦力で釣糸ａと釣糸ｂを繋ぐことができる。
【００１０】
このように、釣人の熟練度や釣糸の種類に応じて、回転速度を調整できるので、初心者は慣れていないため、時間をかけてゆっくりと確実に作業ができ失敗なく巻付けができる。逆に熟練者はすばやく仕掛けを作れるので、釣りそのものに専念できる。
【００１１】
また、初心者は徐々に上達するにつれて、回転速度を上げていけるので、機器を買換えることなく、熟練度に応じて仕掛け作りの時間を短縮でき、本来の釣りに専念できる時間が増え、釣りの上達も加速される。
【発明を実施するための最良の形態】
【００１２】
このとき、スイッチ部をモ−タ−と接続されその駆動電流を制限する可変抵抗体と連動した構成とすることにより、連続的に回転速度を調整でき、釣人が最適な速度を設定することができる。
【００１３】
また、スイッチ部は複数の接点を有し、それぞれの接点とそれぞれの抵抗体を介してモ−タ−と電気的に接続された構成とすることにより、段階的に電流が変化し回転速度を調整でき、釣人が適当な回転速度を選択することができ、安定した回転が得られる。
【００１４】
さらに、スイッチ部は、複数の押し接点とその押し接点を横方向から斜め押しできる複数の斜面とを有し、それぞれの押し接点と斜面の位置関係を、スイッチ部の操作方向に対しずらしながら並列に並べて配置し、スイッチ部を操作するとその斜面によりそれに対応した押し接点が順次押され、電気的に接続されていく構成とする。それぞれの押し接点と斜面の位置関係を変えることで順次接続される位置を任意に設定することができ、スイッチ操作の移動範囲を短くなるよう設定することにより、指の操作範囲内で多段階に回転速度を調整することも可能となり、使い勝手がよくなる。
【００１５】
また、モ−タ−と糸保持回転体との回転伝達部に変速機構部を有し、スイッチ部と変速機構部とを連動した構成にすることにより、電気的抵抗による電力を損失することなく、糸保持回転体の回転速度を調整できる。
【００１６】
以下、本発明を実施するための最良の形態について、図面を参照しながら説明する。
【００１７】
（実施の形態１）
図１と図２は、本発明の実施の形態１における電動釣糸結び器の内部構造を示す正面断面図と側面外観図である。回転伝達部は回転伝達軸４と減速部５から構成されており、略コ字状の形状をした本体ケ−ス１の両端に、第１の糸保持回転体２および第２の糸保持回転体３が、その両者の回転中心線を一致させて配置されるとともに、回転伝達軸４を介して両者が同期回転するようにギヤ嵌合している。モーター６の回転は、モーターのシャフトに取り付けられたピニオン歯車５ａから順次減速用歯車５ｂ、５ｃを介して回転伝達軸４へと伝達される。スイッチ部は３回押しボタンスイッチ８とスイッチレバー９から構成されており、モーター６は電池７を電源として、３回路押しボタンスイッチ８を介して駆
動される。
【００１８】
図３は、同実施の形態１における電動釣糸結び器のスイッチ部の一部模式図を含む斜視図である。３回路押しボタンスイッチ８は、複数の押しボタン８ａ、８ｂ、８ｃとその押しボタンに対向した接点８ｄ、８ｅ、８ｆを有しており、それぞれの押しボタンとその接点を対として複数の押し接点を形成している。スイッチレバー９は、その操作方向に向けて複数の斜面９ａ、９ｂ、９ｃを形成しており、対向する位置に押しボタン８ａ、８ｂ、８ｃを配置している。それぞれの斜面９ａ、９ｂ、９ｃと対をなす押しボタン８ａ、８ｂ、８ｃは、操作方向の一直線上でなく並列して配置されるとともに、お互いの相対位置はスイッチレバー９の操作方向に対して少しずらして配置されている。また、複数の接点８ｄ、８ｅ、８ｆは、それぞれ抵抗体を介してモ−タ−６と電気的に接続されている。
【００１９】
スイッチレバー９の操作により、斜面９ａ、９ｂ、９ｃを介して、押しボタン８ａ、８ｂ、８ｃが順次押し込まれ接点８ｄ、８ｅ、８ｆが電気的に順次接続され、それぞれの接続抵抗が変化した分だけモ−タ−６への電力が変化し、回転速度を段階的に調整できる。
【００２０】
第１の糸保持回転体２および第２の糸保持回転体３は、それぞれ回転軸部１０ａ、１０ｂを有し、その回転軸部１０ａ、１０ｂは、本体ケース１の両端に形成された第１の軸受部１１ａ、第２の軸受部１１ｂと回転嵌合している。そして、回転軸部１０ａ、１０ｂには回転中心線方向に回転中心線付近に達する溝部１２ａ、１２ｂが設けられている。また、本体ケース１の軸受部１１ａ、１１ｂには、溝部１２ａ、１２ｂと同方向に、切欠部１３ａ、１３ｂが設けられており、その切欠部１３ａ、１３ｂは回転中心線付近まで達している。
【００２１】
図４は、同実施の形態１における電動釣糸結び器の第１の糸保持回転体２の正面断面図であり、図５はその下面断面図である。第１の糸保持回転体２の溝部１２ａには、隔壁１４ａが設けられ、その隔壁１４ａの両面に略Ｕ字状の形状をした糸押えバネ１５が、その一端を隔壁１４ａに付勢接触するように取り付けられており、隔壁１４ａと糸押えバネ１５との間に釣糸を挟持できる。溝部１２ａは隔壁１４ａの両面に挟持することができ、それぞれ異なる種類の釣糸に対して確実に挟持することができる。
【００２２】
図６は、同実施の形態１における電動釣糸結び器の第２の糸保持回転体の下面断面図である。第２の糸保持回転体３の溝部１２ｂには、中壁面１４ｂが設けられ、その中壁面１４ｂに略Ｕ字状の形状をした糸押えバネ１５が、その一端を中壁面１４ｂに付勢接触するように取り付けられており、中壁面１４ｂと糸押えバネ１５との間に釣糸を挟持できる。第２の糸保持回転体３の溝部１２ｂは、１種類の釣糸が挟持できる。
【００２３】
図４において、第１の糸保持回転体２の回転面１６の一部には凹部１６ａを設けている。その凹部１６ａに嵌合する凸部９ｄが、スイッチレバー９に設けられており、スイッチレバー９は、図１に示すようにレバーバネ１７により付勢され凹部１６ａと嵌合し、電源「切」状態を維持するとともに、第１の糸保持回転体２の停止位置を規制し、本体ケ−ス１の切欠部１３ａ、１３ｂと第１の糸保持回転体２の溝部１２ａの方向を一致させ、同期回転している第２の糸保持回転体３の溝部１２ｂとも一致させる。
【００２４】
図７、図８，図９、及び図１０は、同実施の形態１における電動釣糸結び器を使用して細くて剛い（伸びが少ない）が衝撃力に弱い釣糸ａ、例えば１．５号のポリエチレン糸と衝撃力に強いが太くて柔かい釣糸ｂ、例えば５号のナイロン糸の２本の釣糸を結ぶ手順の説明図であり、図７は釣糸の取付け状態を示す説明図、図８は釣糸の巻付け状態を示す説明図、図９は釣糸の解け防止処理を示す説明図、図１０は結ばれた釣糸の完成状態を示す説明図である。
【００２５】
前述したように、第１の糸保持回転体２および第２の糸保持回転体３の溝部１２ａ、１２ｂと本体ケース１の切欠部１３ａ、１３ｂは、回転中心線に沿って一致して開口しているので、図７に示すように回転中心線沿って、第１の糸保持回転体２および第２の糸保持回転体３の溝部１２ａ、１２ｂに衝撃力に強いが太くて柔かい釣糸ｂ１９を押込むだけで挟持でき、さらに第１の糸保持回転体２の溝部１２ａに細くて剛い（伸びが少ない）が衝撃力に弱い釣糸ａ１８の一端も押込むだけで挟持できる。釣糸ａ１８の他端は手で保持しスイッチレバー９を引くと、第１の糸保持回転体２および第２の糸保持回転体３が同期回転し、その溝部１２ａ、１２ｂに挟持された釣糸ｂ１９も捻れることなく回転するとともに、第１の糸保持回転体２の溝部１２ａに一端を挟持された釣糸ａ１８は、釣糸ｂ１９に巻き付いていく。
【００２６】
スイッチレバー９を引いたままにしておくと、第１の糸保持回転体２と第２の糸保持回転体３が同期回転を続けるので、手で保持した釣糸ａ１８の他端を下方に移動させれば、簡単にしかも均一に整列させて、釣糸ａ１８を釣糸ｂ１９に巻き付けることができる。多数回巻付けた後、釣糸ａ１８の他端を上方に折返して移動させ、図８のように重ね巻きをして１重目を押さえ込むことで、釣糸ａ１８の釣糸ｂ１９への巻付けは確実となり、巻付けの摩擦力で釣糸ａ１８と釣糸ｂ１９を結合できる。スイッチレバー９をはなし第１の糸保持回転体２と第２の糸保持回転体３が回転を停止した後、図９のように、溝部１２ａに挟持していた釣糸ａ１８の一端を外し、ハーフヒッチ結びで釣糸ｂと釣糸ａの他端を共締めして、釣糸ａの解け防止処理をするだけで、釣糸ａと釣糸ｂを繋ぐことができる。ハーフヒッチ結びとは、略Ｕ字状に形成した釣糸ａ１８の端部で、釣糸ｂと釣糸ａの他端を共に巻き込みながら、前述の略Ｕ字状の釣糸ａ１８の間を潜らせ締め込む方法であり、このハーフヒッチ結びを数回繰り返すことで、釣糸ａ１８の解け防止処理ができる。さらに釣糸ａ１８の他端のみにハーフヒッチ結びを数回繰り返えせば、解け防止処理が確実になる。次に、釣糸ａ１８と釣糸ｂ１９とをたがいに引っ張り、前記巻付けを密にしめあげた後、図１０のように、釣糸ａ１８の釣糸ｂ１９の余分な端部を切断除去することで完成する。
【００２７】
（実施の形態２）
本発明の実施の形態１の電動釣糸結び器では、スイッチ部を複数の押しボタン８ａ・８ｂ・８ｃを有する押しボタンスイッチ８と、複数の斜面９ａ・９ｂ・９ｃを形成しているスイッチレバー９とで構成した形態を説明したが、図１１の本発明の実施の形態２の電動釣糸結び器のスイッチ部の模式図に示すように、スイッチ部を、モ−タ−６と接続されその電流を制限する可変抵抗体８１とスイッチレバー９とで構成してもよい。この場合、スイッチレバ−９の操作により、抵抗値が連続的に変化するので、連続的に回転速度を調整でき、釣人が任意に最適な速度を設定することができる。また、この電流を制限する可変抵抗体は電気回路で構成してもよい。
【００２８】
（実施の形態３）
また、図１２の本発明の実施の形態３の電動釣糸結び器のスイッチ部の模式図のように、スイッチ部を複数の接点端子を有するスライドスイッチ８２とスイッチレバー９とで構成してもよい。それぞれの接点端子は、それぞれの抵抗体を介してモ−タ−と電気的に接続されており、段階的に回転速度を調整でき、釣人が適当な回転速度を選択することができ、安定した回転が得られる。ただし、この場合指での操作が可能な動作範囲の小型のスライドスイッチの採用が必要である。
【００２９】
（実施の形態４）
さらに、図１３の本発明の実施の形態４の電動釣糸結び器のスイッチ部の変速機構との連動を示す模式図のように、モ−タ−６と糸保持回転体（図示せず）との回転伝達部に変
速機構部を有し、スイッチ部と変速機構部とを連動した構成にしてもよい。変速機構部は減速歯車Ａ５１と減速歯車Ｂ５２とタイミングベルト５３から構成されている。図１３においては、複数の回転盤Ａ５１ａを有する歯車５１と、回転盤Ａ５１ａと対向して配置された回転盤Ｂ５２ａを有する歯車５２とをタイミングベルト５３で連結し、タイミングベルト５３の位置の切替えを、切替えレバ−５４を介して、スイッチレバー９の作動に連動させている。タイミングベルト５３の位置を切替えると、回転盤Ａ５１ａと対向する回転盤Ｂ５２ａとの直径比が変わり、回転速度がかわる。この構成にすることにより、モ−タ−の駆動は「入」「切」だけとなり（図示せず）、電気的抵抗による電力を損失することなく、糸保持回転体の回転速度を調整できる。
【産業上の利用可能性】
【００３０】
本発明にかかる電動釣糸結び器は、特に擬似針を使用する釣りなどで、特性の異なる２本の釣糸を繋いで使用するのに有用である。また、釣糸の先端部を折り返し二重にして使用するダブルラインという方法もあり、本発明にかかる電動釣糸結び器を用いて、釣り糸を第２の糸保持回転体から第１の糸保持回転体に挟持した後、折り返して第１の糸保持回転体に再度挟持し、その端部を手で持ちながらスイッチを入れれば、２本の釣糸の回巻付けと同様の巻付けと糸の解け防止処理でダブルラインを作成することもできる。このように本発明は、初心者から熟練者まで多様な釣りに対応できる電動釣糸結び器として有用である。
【図面の簡単な説明】
【００３１】
【図１】本発明の実施の形態１における電動釣糸結び器の正面断面図
【図２】同実施の形態１における電動釣糸結び器の側面外観図
【図３】同実施の形態１における電動釣糸結び器のスイッチ部の一部模式図を含む斜視図
【図４】同実施の形態１における電動釣糸結び器の第１の糸保持回転体の正面断面図
【図５】同実施の形態１における電動釣糸結び器の第１の糸保持回転体の下面断面図
【図６】同実施の形態１における電動釣糸結び器の第２の糸保持回転体の下面断面図
【図７】同実施の形態１における電動釣糸結び器の釣糸の取付状態を示す使用方法の説明図
【図８】同実施の形態１における電動釣糸結び器の釣糸の巻付状態を示す使用方法の説明図
【図９】同実施の形態１における電動釣糸結び器の釣糸の解け防止処理を示す説明図
【図１０】同実施の形態１における電動釣糸結び器で結ばれた釣糸の完成状態を示す説明図
【図１１】本発明の実施の形態２における電動釣糸結び器のスイッチ部の一部模式図
【図１２】本発明の実施の形態３における電動釣糸結び器のスイッチ部の一部模式図
【図１３】本発明の実施の形態４における電動釣糸結び器のスイッチ部の変速機構との連動を示す模式図
【符号の説明】
【００３２】
１                本体ケース
２                第１の糸保持回転体
３                第２の糸保持回転体
４                回転伝達軸
５                減速部
５ａ              ピニオン歯車
５ｂ、５ｃ        減速用歯車
６                モーター
７                電池
８                ３回路押しボタンスイッチ
８ａ、８ｂ、８ｃ  押しボタン
８ｄ、８ｅ、８ｆ  接点
９                スイッチレバー
９ａ、９ｂ、９ｃ  斜面
９ｄ              凸部
１０ａ、１０ｂ    回転軸部
１１ａ、１１ｂ    軸受部
１２ａ、１２ｂ    溝部
１３ａ、１３ｂ    切欠部
１４ａ            隔壁
１４ｂ            中壁面
１５              糸押えバネ
１６              回転面
１６ａ            凹部
１７              レバーバネ
１８              釣糸ａ
１９              釣糸ｂ
５１              減速歯車Ａ
５１ａ            回転盤Ａ
５２              減速歯車Ｂ
５２ａ            回転盤Ｂ
５３              タイミングベルト
５４              切替えレバ−
８１              可変抵抗体
８２              スライドスイッチ
【図１】
2009178097.tif 000003
【図２】
2009178097.tif 000004
【図３】
2009178097.tif 000005
【図４】
2009178097.tif 000006
【図５】
2009178097.tif 000007
【図６】
2009178097.tif 000008
【図７】
2009178097.tif 000009
【図８】
2009178097.tif 000010
【図９】
2009178097.tif 000011
【図１０】
2009178097.tif 000012
【図１１】
2009178097.tif 000013
【図１２】
2009178097.tif 000014
【図１３】
2009178097.tif 000015